(57)【要約】【課題】  プラグとレセプタクルとの嵌合において精度の良い位置決めが可能なコネクタを提供する。【解決手段】  嵌合して接続されるレセプタクル３とプラグ２からなるコネクタ１において、プラグ２の嵌合部２１ｃの左右両側部に嵌合ｂ２１ｃよりも嵌合方向に突出する嵌合突起部２１ｄを形成し、この嵌合部２１ｃの側面に嵌合方向に延びる凸状の位置決め突起部２１ｈを形成する。また、レセプタクル３の開口部３１ｇの左右両側部に嵌合ガイド部３１ｈを形成し、この開口部３１ｇの縁部に嵌合方向に延びる位置決め溝部３１ｆを形成しる。そして、プラグ２をレセプタクル３に嵌合するときに、まず、嵌合突起部２１ｄを嵌合ガイド部３１ｈでガイドして嵌合部２１ｃを開口部３１ｇに挿入し、次に位置決め溝部３１ｆと位置決め突起部２１ｄとを嵌合させて左右方向の位置を正確に位置決めする。【選択図】  図１
2005339984.tif 000002
【特許請求の範囲】
【請求項１】
挿入口と前記挿入口に連通して内部に形成された受容空間を有する雌コネクタハウジング、及び、前記受容空間内に突出するように左右に並んで取り付けられた複数の雌側コンタクトを有する雌コネクタと、
外方に突出して形成された嵌合部を有する雄コネクタハウジング、及び、前記嵌合部の側面に外方に突出するように左右に並んで取り付けられた複数の雄側コンタクトを有する雄コネクタとから構成され、
前記雌コネクタ及び前記雄コネクタの一方が基板に取り付けられ、他方が同軸ケーブルの一端に接続されて、前記嵌合部を前記挿入口から前記受容空間に挿入させて前記雌コネクタと前記雄コネクタとを嵌合させることにより、前記複数の雌側コンタクトと前記複数の雄側コンタクトとを押圧接触させて前記基板と前記同軸ケーブルとを電気的に接続するコネクタにおいて、
前記雌コネクタが、前記挿入口の左右両側部に形成された雌側嵌合ガイド部と、前記雌側嵌合ガイド部の間で前記挿入口の縁部に形成された雌側位置決めガイド部とを有し、
前記雄コネクタが、前記嵌合部の左右両側部に前記嵌合部よりも嵌合方向に突出して形成された雄側嵌合ガイド部と、前記雌コネクタに前記雄コネクタが嵌合されるときの前記雌側位置決めガイド部に対向する位置で前記嵌合部の側面に形成された雄側位置決めガイド部とを有し、
前記雌コネクタに前記雄コネクタが嵌合されるときに、前記雄側嵌合ガイド部が前記雌側嵌合ガイド部にガイドされて前記挿入口から前記受容空間に前記嵌合部の先端が挿入され、続いて、前記雄側位置決めガイド部が前記雌側位置決めガイド部にガイドされて前記雌コネクタに対して前記雄コネクタが位置決めされるように構成されたことを特徴とするコネクタ。
【発明の詳細な説明】
【技術分野】
【０００１】
本発明は、小型化、低背化を図った同軸スタックコネクタに関する。
【背景技術】
【０００２】
同軸ケーブルはその優れた伝送特性やＥＭＩ（電磁波障害）特性から多くの電子機器に用いられており、電子機器の小型化によりその芯線の径を細くした極細同軸ケーブルや、この極細同軸ケーブルを電子機器に接続する小型化、低背化したコネクタが開発されている（例えば、特許文献１参照）。このようなコネクタは、ハウジング内に複数のコンタクトを左右に並べて整列保持し、このコンタクトに同軸ケーブルの一端が電気的に接続されたプラグと、このプラグと嵌合して上述のコンタクトと当接するコンタクトをハウジング内に有して電気機器の基板等に表面実装等で取り付けられ、基板と同軸ケーブルとを電気的に接続するレセプタクルとから構成されている。
【０００３】
【特許文献１】特開２００１−３５７９００号公報
【発明の開示】
【発明が解決しようとする課題】
【０００４】
レセプタクルに対してプラグを嵌合する際には、プラグ若しくはレセプタクルの嵌合部の両端に突起状のガイド部を設け、このガイド部によりプラグをレセプタクルに誘い込ませて位置決めさせている。しかしながら、上述のように同軸ケーブルが極細化し、コネクタが小型化するとそのコンタクトも小型化、狭ピッチ化するが、このような場合にレセプタクルに対してプラグがずれて嵌合されると、コンタクトの接触不良やピッチずれによる短絡が起こる等の問題が発生する。特に、従来のようなガイド部を用いてプラグ及びレセプタクルの両端で位置決めした場合、位置決め精度を上げることが難しいという課題があった。
【０００５】
本発明はこのような課題に鑑みてなされたものであり、プラグとレセプタクルとの嵌合において精度の良い位置決めが可能なコネクタを提供することを目的とする。
【課題を解決するための手段】
【０００６】
前記課題を解決するために、本発明に係るコネクタは、挿入口（例えば、実施形態における開口部３１ｇ）とこの挿入口に連通して内部に形成された受容空間（例えば、実施形態におけるレセプタクル側嵌合空間３１ｃ）を有する雌コネクタハウジング（例えば、実施形態におけるレセプタクルハウジング３１）、及び、受容空間内に突出するように左右に並んで取り付けられた複数の雌側コンタクト（例えば、実施形態におけるレセプタクル側コンタクト３２，３３）を有する雌コネクタ（例えば、実施形態におけるレセプタクル３）と、外方に突出して形成された嵌合部を有する雄コネクタハウジング（例えば、実施形態におけるプラグハウジング２１）、及び、嵌合部の側面に外方に突出するように左右に並んで取り付けられた複数の雄側コンタクト（例えば、実施形態におけるプラグ側コンタクト２２）を有する雄コネクタ（例えば、実施形態におけるプラグ２）とから構成され、雌コネクタ及び雄コネクタの一方が基板に取り付けられ、他方が同軸ケーブルの一端に接続されて、嵌合部を挿入口から受容空間に挿入させて雌コネクタと雄コネクタとを嵌合させることにより、複数の雌側コンタクトと複数の雄側コンタクトとを押圧接触させて基板と同軸ケーブルとを電気的に接続するものであり、雌コネクタが、挿入口の左右両側部に形成された雌側嵌合ガイド部（例えば、実施形態における嵌合ガイド部３１ｈ）と、この雌側嵌合ガイド部の間で挿入口の縁部に形成された雌側位置決めガイド部（例えば、実施形態における位置決め溝部３１ｆ）とを有し、雄コネクタが、嵌合部の左右両側部にこの嵌合部よりも嵌合方向に突出して形成された雄側嵌合ガイド部（例えば、実施形態における嵌合突起部２１ｄ）と、雌コネクタに雄コネクタが嵌合されるときの雌側位置決めガイド部に対向する位置で嵌合部の側面に形成された雄側位置決めガイド部（例えば、実施形態における位置決め突起部２１ｈ）とを有して構成される。そして、雌コネクタに雄コネクタが嵌合されるときに、雄側嵌合ガイド部が雌側嵌合ガイド部にガイドされて挿入口から受容空間に嵌合部の先端が挿入され、続いて、雄側位置決めガイド部が雌側位置決めガイド部にガイドされて雌コネクタに対して雄コネクタが位置決めされるように構成される。
【発明の効果】
【０００７】
本発明に係るコネクタを以上のように構成すると、雌コネクタに雄コネクタを嵌合するときに、最初に雌側嵌合ガイド部と雄側嵌合ガイドにガイドされて挿入口に対して嵌合部の挿入の位置決めができるため、挿入操作が容易になり、さらに、雌側位置決めガイド部と雄側位置決めガイドにより正確に雌コネクタと雄コネクタの左右方向の位置決めをして嵌合させることができるため、コンタクトのピッチズレによる短絡等を防止することができる。
【発明を実施するための最良の形態】
【０００８】
以下、本発明の好ましい実施形態について図面を参照して説明する。本発明に係るコネクタの一例として小型同軸スタックコネクタ１について図１〜図６を用いて説明する。コネクタ１は、同軸ケーブル４の一端に接続されたプラグ２と、電子機器等の基板５上に表面実装で取り付けられ、プラグ２と嵌合して同軸ケーブル４を基板５と電気的に接続するレセプタクル３とから構成される。なお、以降の説明においては図中の矢印Ｆ方向を前方として説明する。
【０００９】
プラグ２は、絶縁性材料で成形されたプラグハウジング２１と、導電性材料で形成され、プラグハウジング２１内に左右に並んで配設された複数のプラグ側コンタクト２２と、同軸ケーブル４をプラグ側コンタクト２２に圧接させて保持するカバー部材２３、及び、導電性材料で成形されてプラグハウジング２１の外周面を覆うように配設されたプラグ側シールド部材２４とから構成される。
【００１０】
プラグハウジング２１は、下方及び後方に開口し、同軸ケーブル４の芯線４ａをプラグ側コンタクト２２に結線する結線空間２１ｅが形成された本体部２１ａと、この本体部２１ａの前面上部から前方に延出する延出部２１ｂと、この延出部２１ｂの前端部から下方に延びる嵌合部２１ｃとから構成されている。そして、この本体部２１ａ、延出部２１ｂ及び嵌合部２１ｃとに囲まれてプラグ側嵌合空間２１ｆが形成される。なお、このプラグハウジング２１は、樹脂等を用いて一体成型される。また、本体部２１ａの上面後部は一部開口して結線空間２１ｅに連通している。
【００１１】
複数のプラグ側コンタクト２２は、左右に並んでプラグハウジング２１に取り付けられており、本体部２１ａに形成され、結線空間２１ｅとプラグ側嵌合空間２１ｆを連通する連通孔を通ってその一端が結線空間２１ｅ内に突出し、他端がプラグ側嵌合空間２１ｆ内に突出している。すなわち、このプラグ側コンタクト２２は、連通孔を通って前後に延びる基部２２ａと、基部２２ａの後端部から下方に折曲して延びて結線空間２１ｅ内に突出する圧接受け部２２ｂと、基部２２ａの前端部から折曲して下方に延びてその後面がプラグ側嵌合空間２１ｆに突出するプラグ側当接部２２ｃと、プラグ側当接部２２ｃの下端部から折曲して前方に延びて嵌合部２１ｃに前後に貫通して形成された取付孔２２ｇ内に圧入される取付部２２ｄとから構成される。なお、基部２２ａ及びプラグ側当接部２２ｃは、プラグハウジング２１に形成された取付け溝（図示せず）に圧入されて固定されている。また、圧接受け部２２ｂは、その先端が下方に向けて左右に広がるＵ字状に形成されている。このプラグ側コンタクト２２は、側面視において下方に開いたコの字状となっており、導電性金属材料の薄板を曲げ加工して一体成型される。
【００１２】
このように構成されたプラグハウジング２１の後方開口部から結線空間２１ｅに同軸ケーブル４を挿入し被覆が剥がされた芯線４ａをプラグ側コンタクト２２の圧接受け部２２ｂ（Ｕ字状の端部の間）に配置し、カバー部材２３をプラグハウジング２１の結線空間２１ｅの下方開口部を覆うようにに下方から取り付けることにより、このカバー部材２３により芯線４ａを圧接受け部２２ｂに圧入することができ、プラグ側コンタクト２２と同軸ケーブル４の芯線４ａを圧接して電気的に接続するとともに、この同軸ケーブル４を保持する。
【００１３】
プラグ側シールド部材２４は、プラグハウジング２１の前面及び上面を覆うように取り付けられており、このプラグ側シールド部材２４の上面後部に形成された接触舌片２４ａは、下方に折り曲げられて本体部２１ａの上面後部の開口から結線空間２１ｅ内に突出し、その先端が同軸ケーブル４に取り付けられたシールドリング４ｂと半田付け等で電気的に接続される。なお、このプラグ側シールド部材２４も、導電性金属材料の薄板を曲げ加工して一体成型される。
【００１４】
一方、レセプタクル３は、絶縁性材料で成型されたレセプタクルハウジング３１と、導電性材料で形成され、レセプタクルハウジング３１内に左右に並んで配設された複数のレセプタクル側コンタクト３２，３３と、レセプタクルハウジング３１の外周面を覆うように取り付けられたレセプタクル側シールド部材３４，３５とから構成される。
【００１５】
レセプタクルハウジング３１は、内部に下方に開口したコンタクト取付空間３１ｄが形成されたコンタクト取付部３１ａと、その後方に形成され、上面に左右に延びる開口部３１ｆを有し、内部にこの開口部３１ｆに連通するレセプタクル側嵌合空間３１ｃが形成された嵌合部３１ｂとから構成され、レセプタクル側嵌合空間３１ｃとコンタクト取付空間３１ｄはこのレセプタクルハウジング３１の内部で連通している。また、コンタクト取付部３１ａの上部には、コンタクト取付空間３１ｄに連通して上部に開口するコンタクト圧入孔３１ｅがレセプタクル側コンタクト３２，３３の数に対応して左右に並んで形成されている。このレセプタクルハウジング３１は、樹脂等を用いて一体成型される。
【００１６】
複数のレセプタクル側コンタクト３２，３３は、基部３２ａ，３３ａと、この基部３２ａ，３３ａの前端下部から前方に延びてその先端部が下方に突出した端子部３２ｂ，３３ｂと、基部３２ａ，３３ａの後端下部から後方に延びて上方に折曲された接点部３２ｃ，３３ｃと、接点部３２ｃ，３３ｃの先端部で前方に突出するレセプタクル側当接部３２ｄ，３３ｄと、基部３２ａ，３３ａの上部から上方に延びる圧入部３２ｅ，３３ｅとから構成されている。このレセプタクル側コンタクト３２，３３は、基部３２ａ，３３ａがコンタクト取付空間３１ｂ内に位置してその圧入部３２ｅ，３３ｅが圧入孔３１ｅに圧入されてレセプタクル側ハウジング３１に取り付けられており、端子部３２ｂ，３３ｂがレセプタクルハウジング３１の前部から前方に突出し、接点部３２ｃ，３３ｃがコンタクト取付空間３１ｂからレセプタクル側嵌合空間３１ｃ内に延び、このレセプタクル側嵌合空間３１ｃ内にレセプタクル側当接部３２ｄ，３３ｄが後部から前方に向かって突出する。このレセプタクル側コンタクト３２，３３も導電性金属材料の薄板を曲げ加工して一体成型される。
【００１７】
なお、レセプタクル側コンタクト３２，３３は、その端子部３２ｂ，３３ｂの前方に延びる長さが異なっており、長い端子部３２ｂを有するレセプタクル側コンタクト３２と短い端子部３３ｂを有するレセプタクル側コンタクト３３とが交互にレセプタクルハウジング３１に取り付けられて構成されている。また、プラグ側コンタクト２２とレセプタクル側コンタクト３２，３３は同じ間隔（ピッチ）でそれぞれのハウジング２１，３１に取り付けられており、プラグ２とレセプタクル３とが嵌合したときに互いに押圧接触するように構成されている。
【００１８】
レセプタクル側シールド部材３４，３５は、レセプタクルハウジング３１のコンタクト取付部３１ａの上面及び前後面を覆うように取り付けられた第１シールド部材３４と、レセプタクルハウジング３１の嵌合部３１ｂの後面に取り付けられた第２シールド部材３５とから構成されており、前面側の下端部から前方に折曲して第１グランド端子３４ａ，３４ａ，．．．が形成され、後面側の下端部から後方に折曲して第２グランド端子３５ａ，３５ａ，．．．が形成されている。なお、端子部３２ｂ，３３ｂの下面と、第１及び第２グランド端子３４ａ，３５ａの下面とはレセプタクルハウジング３１の下面より下方において略同一平面上に位置しており、これらの端子が実装される電子機器の基板５上に載置されて、それぞれ基板５に表面実装され、この基板５の回路に電気的に接続される。このレセプタクル側シールド部材３４，３５も、導電性金属材料の薄板を曲げ加工して一体成型される。
【００１９】
以上のように構成されたプラグ２とレセプタクル３は、図１（Ａ）に示すように、レセプタクル３のレセプタクル側嵌合空間３１ｃにプラグ２の嵌合部２１ｃを挿入し、同時にプラグ２のプラグ側嵌合空間２１ｆにレセプタクル３の嵌合部３１ｂの後部を挿入させて垂直方向に嵌合させることによりプラグ側コンタクト２２（プラグ側当接部２２ｃ）とレセプタクル側コンタクト３２，３３（レセプタクル側当接部３２ｄ，３３ｄ）とを押圧接触させて電気的に接続させる。このとき、レセプタクル側コンタクト３２，３３のレセプタクル側当接部３２ｄ，３３ｄは、プラグ側コンタクト２２のプラグ側当接部２２ｃの後面に押圧接触している。
【００２０】
なお、プラグ２とレセプタクル３とが嵌合した状態では、図１（Ａ）に示すように、その上下面は略同一平面上に位置する。またこのとき、プラグ側シールド部材３４の前面に形成されたシールド凹部２４ｂとレセプタクル側シールド部材３４の前面に形成されたシールド凸部３４ｂとが嵌合し、プラグ側シールド部材２４とレセプタクル側シールド部材（第１シールド部材）３４とが電気的に接続される。そのため、同軸ケーブル４のグランドリング４ｂとプラグ側シールド部材２４とは、レセプタクル側シールド部材３４を介して電子機器の基板５（のグランド回路）に電気的に接続される。
【００２１】
本実施例に係るコネクタ１のようにプラグ側コンタクト２２をコの字状に形成し、レセプタクル側コンタクト３２，３３の接点部３２ｃ，３３ｃとプラグ側当接部２２ｃとを前後方向に重なるように嵌合させることにより、この当接部を上下方向に延びるように構成することにより、接触機能上必要な高さ（コネクタエリア）に納めることができる。また、この当接部の後方において、コネクタエリア内でプラグ側コンタクト２２と同軸ケーブル４を結線することによりプラグ２の高さ方向を増すことなく芯線４ａ及びグランド（グランドリング４ｂ）を接続することができる。さらに、このプラグ側コンタクト２２をシンプルなコの字形状とすることにより、プレス加工が容易となり、また、パルスヒートではなく圧接技術を用いて同軸ケーブル４と結線することによりヒーターチップを用いる場合の作業領域を考慮する必要をなくし、プラグ２の前後方向の大きさについても小型化することができる。
【００２２】
次に、本実施例に係るコネクタ１において、レセプタクル３にプラグ２を嵌合させるときの位置決め方法について図７及び図８を用いて説明する。プラグハウジング２１におけるプラグ側コンタクト２２のプラグ側当接部２２ｃが取り付けられた嵌合部２１ｃの左右両側部にはこの嵌合部２１ｃよりも下方に（図７（Ｂ）においては上方に）、すなわち、嵌合部２１ｃの嵌合方向に突出した嵌合突起部２１ｄ，２１ｄが形成されている。また、嵌合部２１ｃの後面にはプラグ側嵌合空間２１ｆに突出し、嵌合方向に延びる位置決め突起部２１ｈが形成されている。一方、レセプタクルハウジング３１におけるレセプタクル側嵌合空間３１ｃに連通する開口部３１ｇの左右両側部の縁部には嵌合ガイド部３１ｈが形成されており、また、この開口部３１ｇの後部の縁部には上述の位置決め突起部２１ｈに対応する位置決め溝部３１ｆが嵌合方向に延びて形成されており、プラグ２とレセプタクル３とが嵌合したときに、位置決め突起部２１ｈと位置決め溝部３１ｆが嵌合するように構成されている。
【００２３】
なお、プラグハウジング２１に形成された嵌合突起部２１ｄ，２１ｄも上述の位置決め溝部３１ｆに沿ってレセプタクル側嵌合空間３１ｃに挿入されるように開口部３１が形成されている。このとき、嵌合突起部２１ｄ，２１ｄと嵌合部２１ｃがスムーズにレセプタクル側嵌合空間３１ｃに挿入する（誘い込ませる）ことができるように、プラグ２とレセプタクル３とが嵌合するときに当接する部分、すなわち、嵌合突起部２１ｄの先端部と開口部３１の両側縁部（嵌合ガイド部３１ｈ）、及び、位置決め突起部２１ｈの先端部と位置決め溝部３１ｆの先端縁部が面取りされている。
【００２４】
このように構成された本実施例に係るコネクタ１において、レセプタクル３にプラグ２を嵌合させるときは、まず、プラグ２の嵌合突起部２１ｄ，２１ｄがレセプタクル３の嵌合ガイド部３１ｈに当接し、嵌合突起部２１ｄ，２１ｄがレセプタクル側嵌合空間３１ｃに誘い込まれる。続いて、嵌合部２１ｃがレセプタクル側嵌合空間３１ｃに挿入されると、位置決め突起部２１ｈの先端部が位置決め溝部３１ｆの先端部に当接して誘い込まれ、この位置決め突起部２１ｈと位置決め溝部３１ｆが嵌合することによりレセプタクル３に対してプラグ２が正確に左右方向の位置決めがされて嵌合する。
【００２５】
以上のように、プラグ２とレセプタクル３とを嵌合するときに、まず嵌合突起部２１ｄと嵌合ガイド部３１ｈで開口部３１ｇからレセプタクル側嵌合空間３１ｃに嵌合部２１ｃを誘い込ませ、さらに、位置決め突起部２１ｈと位置決め溝部３１ｆで左右方向に対して正確に位置決めするように構成されるため、プラグ２とレセプタクル３の嵌合操作を容易にするとともに、左右方向の位置決め精度を上げることができ、プラグ側コンタクト２２とレセプタクル側コンタクト３２，３３とのピッチずれを防止することができる。この位置決め突起部２１ｈ及び位置決め溝部３１ｆは開口部３１ｇの左右方向寸法に対して小さいため、寸法精度については成形収縮やソリ影響の大きい両端のガイド部（すなわち、嵌合突起部２１ｄ及び嵌合ガイド部３１ｈ）に比べて管理が容易となり、より精度の良い位置決めが可能となる。そのため、コンタクトのピッチ（間隔）の広狭や多極・少極に関わらずコネクタ１に適用することができるが、特に狭ピッチのコンタクトを有する場合に高精度を確保して短絡等の接続不良を防止することができる。
【００２６】
なお、本実施例においては左右方向略中央部に位置決め突起部２１ｈと位置決め溝部３１ｆを一組形成した場合について説明したが、このような組み合わせを複数形成することも可能であるし、その形成される位置も本実施例に限定されることはない。また、以上の説明においては、プラグ２に下方に突出させた嵌合部２１ｃを設けてレセプタクル３の開口部３１ｇから内部に挿入させて嵌合するように構成した場合について説明したが、レセプタクル３側に上方に突出した嵌合部を設け、プラグ２の内部に挿入して嵌合するように構成することも可能である。
【図面の簡単な説明】
【００２７】
【図１】本発明に係るコネクタにおいてプラグとレセプタクルを嵌合させたときの図であり、（Ａ）は側面図（断面図）であり、（Ｂ）は平面図である。
【図２】本発明に係るプラグを示す図であり、（Ａ）は平面図であり、（Ｂ）は底面図である。
【図３】図２のＩＩＩ−ＩＩＩ断面図であり、（Ａ）は同軸ケーブルが接続されていないときであり、（Ｂ）は同軸ケーブルを接続したときである。
【図４】本発明に係るプラグからカバー部材を取り外したときの要部の射視図である。
【図５】本発明に係るレセプタクルの平面図である。
【図６】図５の断面図であり、（Ａ）はＶＩＩＡ−ＶＩＩＡ断面図であり、（Ｂ）はＶＩＩＢ−ＶＩＩＢ断面図であり、（Ｃ）はＶＩＩＣ−ＶＩＩＣ断面図である。
【図７】本発明に係るプラグとレセプタクルの射視図であり、（Ａ）はレセプタクルの上面の射視図であり、（Ｂ）はプラグの下面の射視図である。
【図８】本発明に係るプラグ及びレセプタクルの要部の射視図であり、（Ａ）はレセプタクルの要部であり、（Ｂ）はプラグの要部である。
【符号の説明】
【００２８】
１  コネクタ
２  プラグ（雄コネクタ）
３  レセプタクル（雌コネクタ）
４  同軸ケーブル
５  基板
２１  プラグハウジング（雄コネクタハウジング）
２１ｃ  嵌合部
２１ｄ  嵌合突起部（雄側嵌合ガイド部）
２１ｈ  位置決め突起部（雄側位置決めガイド部）
２２  プラグ側コンタクト（雄側コンタクト）
３１  レセプタクルハウジング（雌コネクタハウジング）
３１ｃ  レセプタクル側嵌合空間（受容空間）
３１ｆ  位置決め溝部（雌側位置決めガイド部）
３１ｇ  開口部（挿入口）
３１ｈ  嵌合ガイド部（雌側嵌合ガイド部）
３２，３３  レセプタクル側コンタクト（雌側コンタクト）
【図１】
2005339984.tif 000003
【図２】
2005339984.tif 000004
【図３】
2005339984.tif 000005
【図４】
2005339984.tif 000006
【図５】
2005339984.tif 000007
【図６】
2005339984.tif 000008
【図７】
2005339984.tif 000009
【図８】
2005339984.tif 000010